(57)【特許請求の範囲】
【請求項１】
モバイル（Ｍ）の背面（Ｍ１）からモバイル（Ｍ）を支持することで、モバイル（Ｍ）を斜めに立てて支持する支持部（１１）を有するモバイル用スタンドであって、
前記支持部（１１）を構成する第１板体（１０）と、
この第１板体（１０）を立たせるための脚部を構成する第２板体（２０）とを備え、
第１板体（１０）は、横方向に伸びる左右の組立用スリット（１３Ｌ，１３Ｒ）を備え、
第２板体（２０）は、前記左右の組立用スリット（１３Ｌ，１３Ｒ）にそれぞれ挿入される左右の突片部（２３Ｌ，２３Ｒ）を備え、
これら突片部（２３Ｌ，２３Ｒ）は、該突片部（２３Ｌ，２３Ｒ）の基部に、それぞれ同方向に向かう凹溝（２４Ｌ，２４Ｒ）を有し、
各凹溝（２４Ｌ，２４Ｒ）は、前記左右の突片部（２３Ｌ，２３Ｒ）を第１板体（１０）の左右の組立用スリット（１３Ｌ，１３Ｒ）に挿入した状態で組立用スリット（１３Ｌ，１３Ｒ）の長手方向へスライドさせることで、左右の組立用スリット（１３Ｌ，１３Ｒ）の端部を形成している第１板体（１０）の端部形成部位（１４Ｌ，１４Ｒ）とそれぞれ係合し、
左右の組立用スリット（１３Ｌ，１３Ｒ）の内一方の組立用スリット（１３Ｌ）は左右が閉じられたスリットであり、他方のスリット（１３Ｒ）は、前記第１板体（１０）の側縁（１５Ｒ）との交差部（１６）が開放されたスリットであることを特徴とするモバイル用スタンド。
【発明の詳細な説明】
【技術分野】
【０００１】
本発明は、モバイル用スタンドに関するものである。より詳しくは、モバイル（スマートフォン、タブレットＰＣ等）を支持するのに適したモバイル用スタンドに関するものである。
【背景技術】
【０００２】
従来、例えば特許文献１に見られるように、
モバイル（４）の背面からモバイル（４）を支持することで、モバイル（４）を斜めに立てて支持する支持部（２）を有するモバイル用スタンドが知られている。
このようなモバイル用スタンドによれば、モバイルを手で持つことなくスタンドに立て掛けた状態で、動画や静止画を見ることができる。
【０００３】
しかし、このモバイル用スタンドは、モバイル（４）を斜めに立てて支持する支持部（２）は、指を通すためのリング（以下、単にリングともいう）が背面に設けられたモバイル（以下、単にリング付きモバイルともいう）に関しては何ら考慮されていないため、リング付きモバイルを支持する場合には、安定しない。
【０００４】
また、このモバイル用スタンドは、同文献００１５段落に記載されているように、
「ホルダー支持パネル部３の携帯電話載置部３１の部分を携帯電話ホルダーパネル部２の差込部２１１に挿入し、」「係合用穴部２１内の保持部２１２にホルダー支持パネル部３を下方向にずらして落とし込むことによって係合させる」構造であるから、例えば、このスタンドを移動させ、あるいはモバイルを支持した状態のまま移動させる際の、上下方向の動き（携帯電話ホルダーパネル部２に対するホルダー支持パネル部３の上下方向の回動）に弱く、組み立て状態が分解されてしまう可能性がある。
【０００５】
なお、従来、例えば特許文献２に見られるように、スロット１ａ、１ｂを有するモバイル用スタンドも知られている。
【０００６】
しかしスロット１ａ、１ｂは組立用のスロットであり、リング付きモバイルに関しては何ら考慮されていないため、リング付きモバイルを支持する場合には、安定しない。
【０００７】
また、このモバイル用スタンドは、同文献要約欄に記載されているように、「第１の支持板１と前記第２の支持板２が交差するように、第１の支持板１の第１のスロット１ａ又は第２のスロット１ｂに第２の支持板２の第３のスロットが側方から差し込まれて組み立てられるものである」から、例えば、このスタンドを移動させ、あるいはモバイルを支持した状態のまま移動させる際の、横方向の動き（第１の支持板１の第１のスロット１ａ又は第２のスロット１ｂと第２の支持板２の第３のスロットとの相対的な抜け方向の動き）に弱く、組み立て状態が分解されてしまう可能性がある。
【先行技術文献】
【特許文献】
【０００８】
【特許文献１】実用新案登録第3186271号公報
【特許文献２】実用新案登録第3174922号公報
【発明の概要】
【発明が解決しようとする課題】
【０００９】
本発明が解決しようとする課題は、上下左右の動きにも強いモバイル用スタンドを提供することである。
【課題を解決するための手段】
【００１０】
上記課題を解決するために本発明のモバイル用スタンドは、
モバイルの背面からモバイルを支持することで、モバイルを斜めに立てて支持する支持部を有するモバイル用スタンドであって、
前記支持部を構成する第１板体と、
この第１板体を立たせるための脚部を構成する第２板体とを備え、
第１板体は、横方向に伸びる左右の組立用スリットを備え、
第２板体は、前記左右の組立用スリットにそれぞれ挿入される左右の突片部を備え、
これら突片部は、該突片部の基部に、それぞれ同方向に向かう凹溝を有し、
各凹溝は、前記左右の突片部を第１板体の左右の組立用スリットに挿入した状態で組立用スリットの長手方向へスライドさせることで、左右の組立用スリットの端部を形成している第１板体の端部形成部位とそれぞれ係合することを特徴とする。
【００１１】
このモバイル用スタンドは、上記の構成となっているので、次のような作用効果が得られる。
支持部に、モバイルを斜めに立てて支持させることができる。
【００１２】
このモバイル用スタンドは、第１板体の左右の組立用スリットに第２板体の左右の突片部を挿入し組立用スリットの長手方向へスライドさせて、各突片部の基部に設けられた各凹溝をそれぞれ左右の組立用スリットの端部を形成している第１板体の端部形成部位と係合させることで、第１板体と第２板体とで本モバイル用スタンドを組み立てることができる。
そして、組み立て状態においては、第２板体の左右の突片部の基部に設けられた各凹溝と第１板体の左右の組立用スリットの端部を形成している端部形成部位とがそれぞれ係合しているので、このモバイル用スタンドを移動させ、あるいはモバイルを支持した状態のまま移動させる際の、上下方向の動き（第１板体に対する第２板体の上下方向の回動）に強い構造となり、組み立て状態が分解され難くなる。
また、組み立て状態においては、第２板体の左右の突片部が第１板体の左右の組立用スリットに挿入された状態であるので、このモバイル用スタンドを移動させ、あるいはモバイルを支持した状態のまま移動させる際の、横方向の動き（第１板体の左右の組立用スリット内における第２板体の左右の突片部の横方向への動き）が規制されるため、横方向への動きにも強くなり、組み立て状態が分解され難くなる。
したがって、上下左右の動きにも強いモバイル用スタンドとなる。
【００１３】
このモバイル用スタンドにおいては、
左右の組立用スリットの内一方の組立用スリットは左右が閉じられたスリットであり、他方のスリットは、前記第１板体の側縁との交差部が開放されたスリットである構成とすることができる。
【００１４】
このように構成すると、第１板体の左右の組立用スリットに第２板体の左右の突片部を挿入し組立用スリット方向へスライドさせて、各突片部の基部に設けられた各凹溝をそれぞれ左右の組立用スリットの端部を形成している第１板体の端部形成部位と係合させることで、第１板体と第２板体とで本モバイル用スタンドを組み立てることができる構造であるにもかかわらず、第１板体と第２板体とを同一幅とし、かつ、両板体の左右の側面をいずれも面一状態とすることができる。
【図面の簡単な説明】
【００１５】
【図１】本発明に係るモバイル用スタンドの実施の形態の使用状態を示す図で、（ａ）は正面図（図（ｂ）におけるａ矢視図）、（ｂ）は左側面図。
【図２】モバイルを横置きとした使用状態を示す図で、（ａ）は正面図（図（ｂ）におけるａ矢視図）、（ｂ）は左側面図。。
【図３】同実施形態を示す図で、（ａ）は平面図、（ｂ）は正面図。
【図４】第１板体１０を示す図で、（ａ）は平面図、（ｂ）は正面図、（ｃ）は右側面図。
【図５】第２板体２０を示す図で、（ａ）は平面図、（ｂ）は正面図、（ｃ）は図（ａ）の右側面図。
【図６】組み立て過程を示す図で、（ａ）は平面図、（ｂ）は正面図。
【図７】モバイルの一例を示す図で、（ａ）は正面図、（ｂ）は左側面図、（ｃ）は背面図。
【発明を実施するための形態】
【００１６】
以下、本発明に係るモバイル用スタンドの実施の形態について図面を参照して説明する。なお、各図において、同一部分ないし相当する部分には、同一の符号を付してある。
【００１７】
図１または図２に示すように、この実施の形態のモバイル用スタンド１は、
モバイルＭ（図７参照）の背面Ｍ１側からモバイルＭを支持することで、モバイルＭを斜めに立てて支持する支持部１１を有するモバイル用スタンドであって、
支持部１１には、モバイルＭの背面Ｍ１に設けられた使用者の指を通すためのリングＭＲを起立状態（モバイルＭの背面Ｍ１に対して直交させた状態）で通す（入れる場合を含む）ための、縦方向（上下方向）に伸びるスリット１２（図３参照）が設けられている。
【００１８】
このモバイル用スタンド１は、上記の構成となっているので、次のような作用効果が得られる。
図１または図２に示すように、支持部１１に、モバイルＭを斜めに立てて支持させることができる。図１はモバイルＭを縦置き状態で支持した状態を、図２は横置き状態で支持した状態を示している。
【００１９】
支持部１１には、モバイルＭの背面Ｍ１に設けられた使用者の指を通すためのリングＭＲを起立状態で通すための、縦方向に伸びるスリット１２が設けられているので、リング付きモバイルＭを支持する場合には、図１又は図２に示すように、リングＭＲを起立させた状態でスリット１２に通すことで、モバイルＭを支持部１１に、安定した状態で支持させることができる。
【００２０】
しかも、支持部１１で支持されたリング付きモバイルＭは、リングＭＲがスリット１２に通されていることで、支持部１１に対する左右方向（矢印Ｘ方向（スリット１２の長手方向と直交する方向））への相対移動が規制されるから、モバイルＭの画面Ｍ２をスライド操作する際にも、必ずしも片方の手でモバイルを押さえなくても、安定した状態で操作することができる。
【００２１】
以上のように、このモバイル用スタンド１によれば、リング付きモバイルＭを安定した状態で支持することができ、安定した操作状態も得ることができる。
【００２２】
スリット１２は複数本（図示のものは３本）設けられている。
【００２３】
このように構成すると、使用者の好みに応じてリングＭＲの取付位置が異なった場合でも、複数本のスリット１２のうち適切なスリット１２にリングＭＲを通すことが可能になるため、安定した支持状態を得ることが可能になる。リングＭＲは後付けのものが多く、その取付位置は、使用者の好みによって決められるが、この実施の形態では、そのような場合でも良好に支持することが可能である。
【００２４】
スリット１２は、図示のように、横方向（矢印Ｘ方向）に関し、中央部と、その左右に少なくとも１本ずつ設けられている構成とすることが望ましい。
【００２５】
このように構成すると、より適切なスリット１２を選びやすくなるため、安定した支持状態を一層得やすくなる。
【００２６】
スリット１２の幅Ｗ１（図３（ｂ）参照）は、３ｍｍ以上、５ｍｍ以下とすることが望ましい。
【００２７】
このように構成すると、ほとんどのリングＭＲに対応可能になると同時に、スリット１２内におけるリングＭＲの左右方向（矢印Ｘ方向）における移動範囲を小さくして、安定した操作状態を得ることができる。
【００２８】
仮に、スリット１２の幅Ｗ１が３ｍｍ未満であるとすると、多くのリングＭＲがスリット１２に入れることができなくなるおそれがある。逆に、スリット１２の幅Ｗ１が５ｍｍを超えると、スリット１２内におけるリングＭＲの左右方向（矢印Ｘ方向）の移動範囲が大きくなって安定性が損なわれるおそれがある。
【００２９】
これに対し、スリット１２の幅Ｗ１（図３（ｂ）参照）を、３ｍｍ以上、５ｍｍ以下とすることにより、ほとんどのリングＭＲを入れることができるようになると同時に、スリット１２内におけるリングＭＲの左右方向（矢印Ｘ方向）における移動範囲を小さくして、安定した操作状態を得ることができるようになる。
【００３０】
この実施の形態のモバイル用スタンド１は、図１等に示すように、
スリット１２が設けられた支持部１１を構成する第１板体１０（図４参照）と、
この第１板体１０を立たせるための脚部を構成する第２板体２０（図５参照）とを備えている。
【００３１】
図４（ｂ）に示すように、第１板体１０は、スリット１２より下方においてスリット１２と直交方向に伸びる左右の組立用スリット１３Ｌ，１３Ｒを備えている。
【００３２】
図５、図６に示すように、第２板体２０は、第１板体１０の左右の組立用スリット１３Ｌ，１３Ｒにそれぞれ挿入される左右の突片部２３Ｌ，２３Ｒを備えている。
【００３３】
これら突片部２３Ｌ，２３Ｒは、突片部２３Ｌ，２３Ｒの基部に、それぞれ同方向（図示のものは図５（ａ）において右方）に向かう凹溝２４Ｌ，２４Ｒを有している。
【００３４】
図６に示すように、各凹溝２４Ｌ，２４Ｒは、左右の突片部２３Ｌ，２３Ｒを第１板体１０の左右の組立用スリット１３Ｌ，１３Ｒに挿入した状態で、組立用スリット方向（図示の場合、図６において左方）へスライドさせることで、図６から図３に示すように。左右の組立用スリット１３Ｌ，１３Ｒの端部（１４Ｌ，１４Ｒ）を形成している第１板体１０の端部形成部位１４Ｌ，１４Ｒとそれぞれ係合する（嵌まり合う）。
【００３５】
このような組立構造によれば、第１板体１０の左右の組立用スリット１３Ｌ，１３Ｒに第２板体２０の左右の突片部２３Ｌ，２３Ｒを挿入し組立用スリット方向へスライドさせて、各突片部２３Ｌ，２３Ｒの基部に設けられた各凹溝２４Ｌ，２４Ｒをそれぞれ左右の組立用スリット１３Ｌ，１３Ｒの端部を形成している第１板体１０の端部形成部位１４Ｌ，１４Ｒと係合させることで、図３に示すように、第１板体１０と第２板体２０とで本モバイル用スタンド１を組み立てることができる。
【００３６】
そして、組み立て状態ないし使用状態においては、第２板体２０の左右の突片部２３Ｌ，２３Ｒの基部に設けられた各凹溝２４Ｌ，２４Ｒと第１板体１０の左右の組立用スリット１３Ｌ，１３Ｒの端部を形成している端部形成部位１４Ｌ，１４Ｒとがそれぞれ係合しているので、このモバイル用スタンド１を移動させ、あるいはモバイルＭを支持した状態のまま移動させる際の、上下方向の動き（第１板体１０に対する第２板体２０の上下方向の回動）に強い構造となり、組み立て状態が分解され難くなる。
【００３７】
また、組み立て状態ないし使用状態においては、第２板体２０の左右の突片部２３Ｌ，２３Ｒが第１板体１０の左右の組立用スリット１３Ｌ，１３Ｒに挿入された状態であるので、このモバイル用スタンド１を移動させ、あるいはモバイルＭを支持した状態のまま移動させる際の、横方向の動き（第１板体１０の左右の組立用スリット１３Ｌ，１３Ｒ内における第２板体２０の左右の突片部２３Ｌ，２３Ｒの横方向への動き）が規制されるため、横方向への動きにも強くなり、組み立て状態が分解され難くなる。
【００３８】
したがって、上下左右の動きに強いモバイル用スタンドとなる。
【００３９】
図４（ｂ）等に示すように、この実施の形態のモバイル用スタンド１においては、
左右の組立用スリット１３Ｌ，１３Ｒの内一方の組立用スリット１３Ｌは左右が閉じられたスリットであり、他方のスリット１３Ｒは、第１板体１０の側縁１５との交差部１６が開放されたスリットである。
【００４０】
このように構成すると、第１板体１０の左右の組立用スリット１３Ｌ，１３Ｒに第２板体２０の左右の突片部２３Ｌ，２３Ｒを挿入し組立用スリット１３Ｌ，１３Ｒの長手方向へスライドさせて、各突片部２３Ｌ，２３Ｒの基部に設けられた各凹溝２４Ｌ，２４Ｒをそれぞれ左右の組立用スリット１３Ｌ，１３Ｒの端部を形成している第１板体１０の端部形成部位１４Ｌ，１４Ｒと係合させることで、第１板体１０と第２板体２０とで本モバイル用スタンドを組み立てることができる構造であるにもかかわらず、図３に示すように、第１板体１０と第２板体２０とを同一幅Ｗ２とし、かつ、両板体１０，２０の左右の側面１５Ｌ，２５Ｌ，１５Ｒ，２５Ｒをいずれも面一状態とすることができる。
【００４１】
図３等において、１６および２６、２６’はモバイルに接続されるコードを通すためのスペースを形成する凹所である。
【００４２】
第１板体１０、第２板体２０は、いずれも公知の適宜の材料、例えば、合成樹脂、木、金属等で構成することができる。
各板体１０，２０の厚さは、材料に応じ強度および重さを考慮して適宜設定でき、合成樹脂の場合には３〜８ｍｍ程度、木の場合４〜１０ｍｍ、金属の場合、２〜６ｍｍ程度とするのが望ましい。
【００４３】
リングＭＲは、後付けのものの他、初めからモバイルＭの背面に設けられているものもあるが、この実施の形態のモバイル用スタンドは、いずれの場合にも対応可能（使用可能）である。
【００４４】
以上、本発明の実施の形態について説明したが、本発明は上記の実施の形態に限定されるものではなく、本発明の要旨の範囲内において適宜変形実施可能である。例えば、
【００４５】
スリット１２の本数は任意であり、１本〜６本程度とすることができる。
スリット１２の長さも適宜設定することができる。
【符号の説明】
【００４６】
Ｍ：    モバイル
ＭＲ：    リング
１：    モバイル用スタンド
１０：    第１板体
１２：    スリット
２０：    第２板体
【要約】
【課題】リング付きモバイルを支持するのに適しているモバイル用スタンドを提供することである。上下左右の動きにも強いモバイル用スタンドを提供することである。
【解決手段】モバイルＭの背面Ｍ１からモバイルＭを支持することで、モバイルＭを斜めに立てて支持する支持部１１を有する。支持部１１には、モバイルＭの背面Ｍ１に設けられた使用者の指を通すためのリングＭＲを起立状態で通すための、縦方向に伸びるスリット１２が設けられている。スリット１２は複数本設けられている。
【選択図】図１【図１】
0006937445.tif 000002
【図２】
0006937445.tif 000003
【図３】
0006937445.tif 000004
【図４】
0006937445.tif 000005
【図５】
0006937445.tif 000006
【図６】
0006937445.tif 000007
【図７】
0006937445.tif 000008